【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
被施療者の下腿を支持する支持面、及び該支持面より外側方に設けられた取付面を有する支持部と、前記取付面に設けられた施療部とを具備する脚載置台を備え、
前記施療部は、
前記取付面に取り付けられた後側空気袋と、
該後側空気袋の前側に配され、前記後側空気袋より前記支持面側に設けられた枢軸回りに回動可能なように、前記支持部に枢着されている受板と、
一端が展開可能であり他端が展開不能に構成され、前記他端を前記一端よりも前記枢軸側に位置させ且つ前記他端を前記枢軸から離隔させて前記受板の前側に配された前側空気袋と
を有し、
前記施療部は、給気されて前記後側空気袋及び前側空気袋が膨張することにより被施療者の下腿の臑の外側部分を略後方へ向けて押圧するように構成されている
ことを特徴とする椅子型マッサージ機。
【請求項２】
前記後側空気袋は、前記一端が蛇腹状に展開可能に構成され、略扁平な状態から給気されたときに扇状に膨張すべくなしてあることを特徴とする請求項１に記載の椅子型マッサージ機。
【請求項３】
前記前側空気袋は、一端が蛇腹状に展開可能であり、他端が展開不能に構成され、略扁平な状態から給気されたときに扇状に膨張すべくなしてあることを特徴とする請求項１又は２に記載の椅子型マッサージ機。
【請求項４】
前記施療部は、被施療者の左右の下腿に夫々対応させて、前記支持部の両側端部に夫々設けられている請求項１乃至３の何れかに記載の椅子型マッサージ機。
【請求項５】
前記支持部は、前記取付面が前記支持面より一段低くなるように、前記支持面及び前記取付面が段状に構成されている請求項１乃至４の何れかに記載の椅子型マッサージ機。
【請求項６】
前記施療部は、前記後側空気袋を膨張させた状態で、前記前側空気袋の膨張及び収縮を繰り返すように動作制御されるべくなしてある請求項１乃至５の何れかに記載の椅子型マッサージ機。
【請求項７】
前記施療部は、前記前側空気袋の前側に配されており、被施療者の下腿に当接し、当該当接箇所を押圧する凸状の施療子を更に有する請求項１乃至６の何れかに記載の椅子型マッサージ機。
【請求項８】
前記受板は、外側端部が前方へ向けて湾曲せしめられている請求項１乃至７の何れかに記載の椅子型マッサージ機。
【請求項９】
前記支持部は、被施療者の左右の下腿を夫々支持すべく、２つの支持面が左右に並設されており、該２つの支持面の間に、前記支持面と略平行な中間取付面を更に有しており、
該中間取付面に取り付けられており、収縮しているときには前記支持面と略平坦面を形成し、膨張しているときには前記支持面よりも前方に突出する中間空気袋を有する中間施療部を更に備える請求項１乃至８の何れかに記載の椅子型マッサージ機。
【請求項１０】
前記支持部は、前記中間取付面が前記支持面より一段低くなるように、前記支持面及び前記中間取付面が段状に構成されている請求項９に記載の椅子型マッサージ機。
【請求項１１】
前記中間空気袋は、下方へ向かうに従って幅が大きくなるように構成されている請求項９又は１０に記載の椅子型マッサージ機。
【請求項１２】
前記支持部は、被施療者の左右の下腿を夫々支持すべく、２つの支持面が左右に並設されており、該２つの支持面の間に、前記支持面と略平行な中間取付面を更に有しており、
一端が蛇腹状に展開することが可能であり、他端が展開しないように夫々構成されていて、略扁平な状態から給気されたときに夫々扇状に膨張すべくなしてあり、夫々の前記一端を相近接させ、夫々の前記他端を相離反させて前記中間取付面に取り付けられた一対又は複数対の中間空気袋を有する中間施療部を更に備える請求項１乃至８の何れかに記載の椅子型マッサージ機。
【請求項１３】
前記中間施療部の一対又は複数対の中間空気袋は、下方へ向かうに従って、対を構成する中間空気袋の離隔距離が大きくなるように前記中間取付面に取り付けられている請求項１２に記載の椅子型マッサージ機。
【請求項１４】
前記施療部及び前記中間施療部は、前記前側空気袋と前記中間空気袋とを同調させて夫々膨張及び収縮を繰り返すように動作制御されるべくなしてある請求項９乃至１３の何れかに記載の椅子型マッサージ機。
【請求項１５】
前記施療部及び前記中間施療部は、前記後側空気袋を膨張させた後に、前記前側空気袋及び前記中間空気袋を同調させて夫々膨張させ、 当該前側空気袋及び中間空気袋の膨張を維持したまま、前記後側空気袋を収縮させるように動作制御されるべくなしてある請求項９乃至１３の何れかに記載の椅子型マッサージ機。
【請求項１６】
前記支持部は、互いに上下に並べて配された上側支持部及び下側支持部を有しており、
前記施療部は、前記上側支持部及び下側支持部の夫々に設けられており、
前記脚載置台は、前記上側支持部及び下側支持部の離隔距離を変化させる離隔距離変化手段を更に備える請求項１乃至１５の何れかに記載の椅子型マッサージ機。                                                                                
【手続補正２】
【補正対象書類名】明細書
【補正対象項目名】００１２
【補正方法】変更
【補正の内容】
【００１２】
【課題を解決するための手段】
上記課題を解決するため、本発明に係る椅子型マッサージ機は、被施療者の下腿を支持する支持面、及び該支持面より外側方に設けられた取付面を有する支持部と、前記取付面に設けられた施療部とを具備する脚載置台を備え、前記施療部は、前記取付面に取り付けられた後側空気袋と、該後側空気袋の前側に配され、前記支持部における前記支持面と前記後側空気袋の取付箇所との間の部分の枢軸回りに回動可能なように枢着されている受板と、一端が展開可能であり他端が展開不能に構成され、前記他端を前記一端よりも前記枢軸に近接させ且つ前記他端を前記枢軸に対し外側方に離隔させて前記受板の前側に配された前側空気袋とを有し、前記施療部は、給気されて前記後側空気袋及び前側空気袋が膨張することにより被施療者の下腿の臑の外側部分を略後方へ向けて押圧するように構成されている。
【手続補正３】
【補正対象書類名】明細書
【補正対象項目名】００１３
【補正方法】変更
【補正の内容】
【００１３】
かかる構成とすることにより、空気袋が収縮しているときには、脚載置台の前側部分が略平坦となるので、着座状態の被施療者の下腿を拘束せず、被施療者が自由な姿勢をとることが可能である。また、前記前側空気袋を、その展開不能な他端が展開可能な一端よりも前記枢軸に近接するようにし、且つ前記他端を前記枢軸に対し外側方に離隔させているため、施療部によって被施療者の下腿の臑の外側部分を施療することが可能である。
【手続補正４】
【補正対象書類名】明細書
【補正対象項目名】００１４
【補正方法】変更
【補正の内容】
【００１４】
この場合においては、前記後側空気袋は、前記一端が蛇腹状に展開可能に構成され、略扁平な状態から給気されたときに扇状に膨張すべく構成することが好ましく、また、前記前側空気袋は、一端が蛇腹状に展開可能であり、他端が展開不能に構成され、略扁平な状態から給気されたときに扇状に膨張すべく構成することが好ましい。
【手続補正５】
【補正対象書類名】明細書
【補正対象項目名】００１５
【補正方法】変更
【補正の内容】
【００１５】
この場合においては、被施療者の左右の下腿に夫々対応させて、前記施療部を前記支持部の両側端部に夫々設ける構成とすることが好ましい。